(57)【要約】【課題】軽く、取り扱いやすい仕切板により、下方領域と上方領域とを仕切ることができるショーケースを提供すること。【解決手段】商品陳列室３の背面に背面ダクト２５ｂを画成し、商品陳列室３の前面にエアカーテンを生成するショーケースにおいて、背面ダクト２５ｂを二つに分割する中央遮風板と、商品陳列室３の任意の位置に取り付けられた棚板４に装着可能であって、商品陳列室３を下方領域と上方領域とに仕切る二つの仕切板５と、仕切板５のそれぞれに設けられ、仕切板５のそれぞれから分割された背面ダクト２５ｂに突出し、分割された背面ダクト２５ｂを遮蔽するとともに背面ダクト２５ｂから仕切板５の内部に空気を取り込み、仕切板５の前縁から空気を吐出させるダンパー６とを備えるようにした。【選択図】        図３
2010082208.tif 000002
【特許請求の範囲】
【請求項１】
商品陳列室の背面に背面ダクトを画成し、商品陳列室の前面にエアカーテンを生成するショーケースにおいて、
背面ダクトを二つに分割する遮風板と、
商品陳列室の任意の位置に取り付けられた棚板に装着可能であって、商品陳列室を下方領域と上方領域とに仕切る二つの仕切板と、
仕切板のそれぞれに設けられ、仕切板のそれぞれから分割された背面ダクトに突出し、分割された背面ダクトを遮蔽するとともに背面ダクトから仕切板の内部に空気を取り込み、仕切板の前縁から空気を吐出させる構造と
を備えたことを特徴とするショーケース。
【発明の詳細な説明】
【技術分野】
【０００１】
本発明は、商品陳列室に取り付けた仕切板を境にして下方領域の温度環境と上方領域の温度環境とを異ならせることができるショーケースに関するものである。
【背景技術】
【０００２】
コンビニエンスストアなどのスペースが限られた店舗において、商品を効率良く陳列できるショーケースが求められている。このような要望に応えるものとして、冷やした商品（冷蔵商品）と温めた商品（温蔵商品）とを同時に陳列できるショーケースが公知になっている。このショーケースの内部には、前面が開口した商品陳列室が画成されており、商品陳列室の背面に背面ダクトが画成されている。背面ダクトの内部には、熱交換器（蒸発器）が配設してあり、背面ダクトを通った空気から吸熱され、背面ダクトを通った空気が冷却されるようになっている。そして、背面ダクトで冷却された空気は、商品陳列室の前面上縁部から吐出され、商品陳列室の前面にエアカーテンを生成するようになっている。また、商品陳列室の上下方向に複数の棚板を取り付けることができるようになっている。各棚板にはヒータが配線してあり、ヒータに電気を流すと棚板上に陳列された商品が温められるようになっている。また、各棚板には仕切板が装着できるようになっており、任意の位置に取り付けた棚板に仕切板を装着することにより、棚板に装着した仕切板を境にして下方領域と上方領域とに区分けされるようになっている。仕切板は、背面ダクトに突出可能なダンパーを有しており、ダンパーを背面ダクトに突出させると、背面ダクトが仕切られ、背面ダクトからダンパーを経由して仕切板の内部に冷却された空気が流れ込むようになっている。そして、仕切板の内部に流れ込んだ空気（冷却された空気）は、前縁から吐出するようになっている。
【０００３】
このショーケースによれば、任意の位置に取り付けた棚板に仕切板を装着することにより、仕切板を境にして下方領域と上方領域とに仕切られる。そして、ダンパーを背面ダクトに突出させると、背面ダクトが仕切られる。そして、熱交換機（蒸発器）によって冷却された空気は、背面ダクトからダンパーを経由して仕切板の前縁開口から吐出し、下方領域の前面にエアカーテンが生成される。このため、下方領域に取り付けられた棚板に陳列された商品は、冷やされることになる。一方、背面ダクトが仕切られるので、上方領域に冷却された空気は流れ込むことはない。このため、上方領域に取り付けられた棚板上に陳列された商品は、冷やされることはない（常温）。ここで、上方領域に取り付けられた棚板に配線されたヒータに電気を流すと、当該棚板上に陳列された商品は温められることになる（例えば、特許文献１参照）。また、背面ダクトを流れる空気の量（エアカーテンの流量）を調整すれば、弱冷とすることもできる。
【０００４】
【特許文献１】特開２００４−２８６４３３号公報
【発明の開示】
【発明が解決しようとする課題】
【０００５】
しかしながら、商品陳列室の開口幅が大きい場合には、棚板に装着される仕切板の幅も大きなものとなるので、重く、取り扱いにくいものとなる。
【０００６】
本発明は、上記実情に鑑みて、軽く、取り扱いやすい仕切板により、下方領域と上方領域とを仕切ることができるショーケースを提供することを目的とする。
【課題を解決するための手段】
【０００７】
上記の目的を達成するために、本発明の請求項１に係るショーケースは、商品陳列室の背面に背面ダクトを画成し、商品陳列室の前面にエアカーテンを生成するショーケースにおいて、背面ダクトを二つに分割する遮風板と、商品陳列室の任意の位置に取り付けられた棚板に装着可能であって、商品陳列室を下方領域と上方領域とに仕切る二つの仕切板と、仕切板のそれぞれに設けられ、仕切板のそれぞれから分割された背面ダクトに突出し、分割された背面ダクトを遮蔽するとともに背面ダクトから仕切板の内部に空気を取り込み、仕切板の前縁から空気を吐出させる構造とを備えたことを特徴とする。
【発明の効果】
【０００８】
本発明に係るショーケースは、商品陳列室の任意の位置に取り付けられた一つの棚板に二つの仕切板を装着することにより、商品陳列室を下方領域と上方領域とに仕切るので、一つの仕切板は、軽く、取り扱いやすいものとなる。
【発明を実施するための最良の形態】
【０００９】
以下に添付図面を参照して、本発明に係るショーケースの好適な実施の形態を詳細に説明する。なお、この実施の形態によりこの発明が限定されるものではない。
【００１０】
図１は、本発明の実施の形態であるショーケースを示す斜視図であり、図２は、図１に示したショーケースの側断面図である。ここで例示するショーケースは、コンビニエンスストアなどのスペースが限られた店舗において、冷やした商品（冷蔵商品）と常温の商品（常温商品）あるいは温めた商品（温蔵商品）、少し冷やした商品（弱冷商品）を同時に陳列販売するためのもので、機械ケース１と、機械ケース１に搭載された本体ケース２とを備えて構成してある。
【００１１】
機械ケース１は、鋼板を適宜組み合わることにより箱状に構成したもので、内部を機械室としている。機械室には、電装ボックス１１、コントローラ（図示せず）、フィルタ（図示せず）、凝縮器（熱交換機）（図示せず）が配設してある。なお、冷凍機を別途用意する冷凍機別置型の場合には、機械室にフィルタ、凝縮器（熱交換機）を配設しなくてもよい。
【００１２】
本体ケース２は、前面が開口した形状を成すもので、底壁部２１ａ、底壁部２１ａの後端縁から上方に向けて延在した外壁部２１ｂ、外壁部２１ｂの上端縁から前方に向けて延在した上壁部２１ｃ、底壁部２１ａよりも上方に位置する部位に底壁部２１ａから離隔する態様で設けた底面パネル２４ａ、底面パネル２４ａの後端縁から斜め上方に向けて延在した背面パネル２４ｂ、背面パネル２４ｂの上端から前方に向けて延在した天井パネル２４ｃ、側面を構成する一対の側板２３を有し、これらのうち、底面パネル２４ａ、背面パネル２４ｂ、天井パネル２４ｃ及び一対の側板２３によって囲まれる空間に商品陳列室３が画成されている。
【００１３】
また、商品陳列室３には、底壁部２１ａと底面パネル２４ａとの間には下部ダクト２５ａ、外壁部２１ｂと背面パネル２４ｂとの間には背面ダクト２５ｂ、上壁部２１ｃと天井パネル２４ｃとの間には天井ダクト２５ｃが画成されている。これら、下部ダクト２５ａ、背面ダクト２５ｂ、天井ダクト２５ｃは、一連の通気通路を構成し、この通気通路は、天井パネル２４ｃの前端部に下方に向けて開口したハニカム構造の吹出口２４ｃ１を有する一方、底面パネル２４ａの前端部に上方に向けて開口した吸込口２４ａ１を有し、また、下部ダクト２５ａの内部に送風ファン２６を、背面ダクト２５ｂに蒸発器（熱交換器）２７を備えている。
【００１４】
図３に示すように、外壁部２１ｂと背面パネル２４ｂとの間には、中央遮風板２８が配設してある。中央遮風板２８は、背面ダクト２５ｂを左右二つに分割するもので、蒸発器（熱交換機）２７の上方から上壁部２１ｃに至る部分に配設してある。中央遮風板２８は、断面が四角形の空洞を有するように形成してあり、その両縁が外方に延在している。なお、中央遮風板２８は、立体構造に限られるものではなく、平面構造、すなわち、板状体によって分割するものであってもよい。
【００１５】
図３に示すように、背面パネル２４ｂの両縁部に沿って棚柱２９が配設してある。棚柱２９は、棚板４を任意の位置に取り付けるためのもので、棚柱２９の前面には、所定のピッチで矩形の取付穴２９ａが形成してある。
【００１６】
図３に示すように、棚板４は、両側面に別部材で構成されたブラケット４１を備えるとともに、下面中央に中央ブラケット４２を備えている。ブラケット４１は、棚柱２９に棚板４を取り付けるためのもので、棚柱２９に取り付けるための爪４１ａを後端部に有している。そして、この爪４１ａを任意の取付穴２９ａに係止させることにより、任意の位置に棚板４を取り付けることができるようになっている。たとえば、図２に示すように、棚柱２９の任意の位置に四つの棚板４を取り付けることができるようになっている。
【００１７】
また、ブラケット４１は、仕切板５を装着するためのフランジ４１ｂを下端部に有している。フランジ４１ｂは、ブラケット４１の下端部を内側に折り曲げたものであり、一方のブラケット４１と中央ブラケット４２との間、中央ブラケット４２と他方のブラケット４１との間にそれぞれ仕切板５を装着できるようになっている。
【００１８】
仕切板５は、商品陳列室３を下方領域と上方領域とに仕切るためのものであって、上述したように、任意の位置に取り付けた任意の棚板４に二つの仕切板５が装着されるようになっている。仕切板５は、図３及び図４に示すように、棚板４の幅の半分よりもやや狭い幅と、棚板４とほぼ同じ奥行きを有し、ブラケット４１と中央ブラケット４２との間に装着できるようになっている。
【００１９】
仕切板５の両側部にはスライダ５１が設けてあり、仕切板５を棚板４（ブラケット４１と中央ブラケット４２との間）に円滑に装着できるようになっている。
【００２０】
図４に示すように、仕切板５は、ダンパー６を備えている。ダンパー６は、仕切板５の後縁から突出可能であって、仕切板５の下面に設けられたレバー（図示せず）に連動して仕切板５の後縁から突出するようになっている。仕切板５から突出したダンパー６の下面は開口しており、仕切板５の内部に空気を取り込むようになっている。そして、仕切板５の内部に取り込んだ空気は、仕切板５の前縁から吐出するようになっている。
【００２１】
図３に示すように、背面パネル２４ｂには、ダンパー挿通口２４ｂ１が複数形成してある。ダンパー挿通口２４ｂ１は、ダンパー６が挿通するための矩形の開口であって、背面ダクト側に取り付けられた蓋体（図示せず）によって閉塞され、背面ダクト２５ｂにダンパー６が突出すると、蓋体が押し開けられるようになっている。
【００２２】
そして、ダンパー６がダンパー挿通口２４ｂ１から分割された背面ダクト２５ｂに突出させると、ダンパー６が背面ダクト２５ｂを遮蔽するとともに背面ダクト２５ｂから仕切板５の内部に空気を取り込み、仕切板５の前縁から空気を吐出するようになっている。
【００２３】
図５及び図６は、上述した本発明の実施の形態であるショーケースの使用状態を示す図である。図５及び図６に示すショーケースは、商品陳列室３に取り付けた四つの棚板４のうち、上から二段目の棚板４に仕切板５を装着している。
【００２４】
このショーケースの商品陳列室３のすべての棚に冷蔵商品を陳列する場合には、仕切板５から背面ダクト２５ｂにダンパー６を突出させることなく、ショーケースを運転すればよい。
【００２５】
仕切板５から背面ダクト２５ｂにダンパー６を突出させることなく、ショーケースを運転すると、吸込口２４ａ１から空気が吸い込まれ、下部ダクト２５ａから背面ダクト２５ｂに空気が供給される。そして、背面ダクト２５ｂに供給された空気は、熱交換機（蒸発器）２７を通過する際に冷却され、天井ダクト２５ｃを通って吹出口２４ｃ１から吹き出される。そして、吹出口２４ｃ１と吸込口２４ａ１との間には、エアカーテンが生成され、すべての棚に陳列された商品が冷やされる。
【００２６】
一方、商品陳列室の上半分、すなわち、最上段と上から二段目の棚に常温商品を陳列する場合には、仕切板５から背面ダクト２５ｂにダンパー６を突出させて、ショーケースを運転すればよい。
【００２７】
仕切板５から背面ダクト２５ｂにダンパー６を突出させると、ダンパー６は背面ダクト２５ｂを遮蔽するととともに背面ダクト２５ｂから仕切板５の内部に空気を取り込み、仕切板５の前縁から空気を吐出させることになる。この場合には、仕切板５の前縁と吸込口２４ａ１との間にエアカーテンが生成され、最下段の棚、下から二段目の棚に陳列された商品は冷やされ、最上段の棚、上から二段目の棚に陳列された商品が冷やされることがない。
【００２８】
他方、商品陳列室の上半分、すなわち、最上段と上から二段目の棚に温蔵商品を陳列する場合には、仕切板５から背面ダクト２５ｂにダンパー６を突出させた状態で、最上段の棚、上から二段目の棚にヒータ（図示せず）を配線しておき、このヒータに電気を供給すればよい。
【００２９】
最上段の棚、上から二段目の棚のヒータに電気を供給すると、最上段の棚、上から二段目の棚に陳列された商品は温められる。
【００３０】
ところで、常温商品あるいは温蔵商品を陳列する領域を縮小する場合には、仕切板５を取り外し、最上段の棚板４に装着すればよく、常温商品あるいは温蔵商品を陳列する領域を拡大する場合には、仕切板５を取り外し、下から二段目の棚板４に装着すればよい。
【００３１】
上述した実施の形態であるショーケースは、商品陳列室３の任意の位置に取り付けられた一つの棚板４に二つの仕切板５を装着することにより、商品陳列室３を下方領域と上方領域とに仕切るので、一つの仕切板５は、軽く、取り扱いやすいものとなる。
【００３２】
上述した実施の形態であるショーケースにおいて、仕切板５から背面ダクト２５ｂにダンパー６を突出させる際に、背面ダクト２５ｂを完全に遮蔽することなく、多少の空気が流れるようにしてもよい。このように背面ダクト２５ｂを完全に遮蔽することなく、多少の空気が流れるようにすれば、上方領域にも冷却された空気が流れることになり、上方領域の棚に陳列された商品を弱冷できる。
【００３３】
また、上述した実施の形態であるショーケースにおいて、仕切板５を異なる棚板４に装着するようにしてもよい。この場合には、左右で温度環境が異なる棚が生じることになるので、この棚を構成する棚板４にアクリル製の遮風板（図示せず）を取り付けることにより、左右を仕切ることが好ましい。
【００３４】
また、上述した実施の形態であるショーケースにおいて、棚板４の幅を狭くし、一つの棚を複数の棚板４で構成するようにすれば、一の棚板４（たとえば、左側の棚板４）の高さ位置と他の棚板４（たとえば、右側の棚板４）の高さ位置とを異ならせることもできる。このように複数の棚板４で一の棚を構成するようにすれば、棚の一側（たとえば、左側）と棚の他側（たとえば、右側）とで高さの異なる商品を陳列することができる。さらに、背の高い商品を補充する場合に、商品を補充する棚の上方に位置する棚板４を取り外せば、補充作業が容易なものとなる。
【００３５】
また、図７に示すように、背面ダクト２５ｂの内部を外側と内側に二分するように背面インナーパネル２２ｂを配設するとともに、天井ダクト２５ｃの内部を外側と内側に二分するように天井インナーパネル２２ｃを背面インナーパネル２２ｂに連設してもよい。このように、背面ダクト２５ｂ及び天井ダクト２５ｃを二分し、内側をインナーダクト２５ｂ，２５ｃとし外側をアウターダクト２６ｂ，２６ｃとするとともに、インナーダクト２５ｃ（天井パネル２４ｃと天井インナーパネル２２ｃとの間）とアウターダクト２６ｃ（上壁部２１ｃと天井インナーパネル２２ｃとの間）にハニカム構造の吹出口２４ｃ１，２２ｃ１を設ければ、商品陳列室３の前面に生成されるエアカーテンは二層構造となる。
【００３６】
図７に示すショーケースにおいて、任意の棚板４に装着した仕切板５からインナーダクト２５ｂにダンパー６を突出させると、ダンパー６がインナーダクト２５ｂを遮蔽するとともにインナーダクト２５ｂから仕切板５の内部に空気を取り込み、仕切板５の前縁から空気を吐出させることになる。すると、仕切板５の下方領域前面にエアカーテンが生成され、冷却されることになる。一方、アウターダクト２６ｂは遮蔽されないので、吹出口２２Ｃ１から空気が吐出され、商品陳列室３の前面にもエアカーテンが生成されることになる。この結果、仕切板５の上方領域は弱冷されることになる。したがって、仕切板５の下方領域に冷却商品を陳列し、仕切板５の上方領域に弱冷商品を陳列する場合には、仕切板５からインナーダクト２５ｂにダンパー６を突出させることになる。
【００３７】
図７に示すショーケースにおいて、任意の棚板４に装着した仕切板５からアウターダクト２６ｂにダンパー６を突出させると、ダンパー６がインナーダクト２５ｂとアウターダクト２６ｂを遮蔽するとともにインナーダクト２５ｂとアウターダクト２６ｂから仕切板５の内部に空気を取り込み、仕切板５の前縁から空気を吐出させることになる。すると、仕切板５の下方領域前面にエアカーテンが生成され、冷却されることになる。一方、インナーダクト２５ｂとアウターダクト２６ｂが遮蔽されるので、吹出口２４ｃ１，２２ｃ１から空気が吐出することはなく、仕切板５の上方領域が冷やされることはない。したがって、仕切板５の下方領域に冷却商品を陳列し、仕切板の上方領域に常温商品あるいは加温商品を陳列する場合には、仕切板５からアウターダクト２６ｂにダンパー６を突出させることになる。
【図面の簡単な説明】
【００３８】
【図１】本発明の実施の形態であるショーケースを示す斜視図である。
【図２】図１に示したショーケースの側断面図である。
【図３】図１に示した棚及び仕切板の取付構造を説明する概念図である。
【図４】図１に示した仕切板を示す斜視図である。
【図５】本発明の実施の形態であるショーケースの使用状態を示す正面図である。
【図６】本発明の実施の形態であるショーケースの使用状態を示す側断面図である。
【図７】本発明の他の実施の形態であるショーケースを示す側断面図である。
【符号の説明】
【００３９】
２    本体ケース
２１ａ    底壁部
２１ｂ    外壁部
２１ｃ    上壁部
２２ｂ    背面インナーパネル
２２ｃ    天井インナーパネル
２２ｃ１    吹出口
２３    側板
２４ａ    底面パネル
２４ａ１    吸込口
２４ｂ    背面パネル
２４ｂ１    ダンパー挿通口
２４ｃ    天井パネル
２４ｃ１    吹出口
２５ａ    下部ダクト
２５ｂ    背面ダクト（インナーダクト）
２５ｃ    天井ダクト（インナーダクト）
２６    送風ファン
２６ｂ    アウターダクト
２６ｃ    アウターダクト
２７    蒸発器（熱交換器）
２８    中央遮風板
２９    棚柱
２９ａ    取付穴
３    商品陳列室
４    棚板
４１    ブラケット
４１ａ    爪
４１ｂ    フランジ
４２    中央ブラケット
５    仕切板
５１    スライダ
６    ダンパー
【図１】
2010082208.tif 000003
【図２】
2010082208.tif 000004
【図３】
2010082208.tif 000005
【図４】
2010082208.tif 000006
【図５】
2010082208.tif 000007
【図６】
2010082208.tif 000008
【図７】
2010082208.tif 000009